(57)【要約】【課題】パーソナルコンピュータに対するＬＡＮ回線を経由した外部からの遠隔操作による電源の立ち上げが危惧されていた。【解決手段】パーソナルコンピュータの電源を切断した時に、当該パーソナルコンピュータに備わっているＵＳＢポートの電源が切断された時点で当該パーソナルコンピュータに接続されているＬＡＮ回線を自動的に遮断する。また当該パーソナルコンピュータの電源が切断された時であっても当該ＵＳＢポートに電源が供給されている仕様の場合には、当該ＬＡＮ回線の波形の監視を行い、この波形が停止した時点で当該ＬＡＮ回線を自動的に遮断する。【選択図】図１
2014116916.tif 000002
【特許請求の範囲】
【請求項１】
パーソナルコンピュータの電源を切断した時には、当該パーソナルコンピュータに備わっているＵＳＢポートの電源が切断された時点で当該パーソナルコンピュータに接続されているＬＡＮ回線を自動的に遮断することを特徴とするＬＡＮ回線継断装置。
【請求項２】
パーソナルコンピュータの電源が切断された時でも、当該ＵＳＢポートに電源が供給されている仕様の場合には、当該ＬＡＮ回線の信号波形の監視を行い、この波形が停止した時点で当該ＬＡＮ回線を自動的に遮断することを特徴とするＬＡＮ回線継断装置。
【請求項３】
パーソナルコンピュータが起動された時には、当該パーソナルコンピュータに接続されているＬＡＮ回線が遮断された状態を継続することを特徴とするＬＡＮ回線継断装置。
【請求項４】
パーソナルコンピュータの電源が投入された後に、継断スイッチを押すことで当該パーソナルコンピュータのＬＡＮ回線の遮断状態を接続状態にさせることを特徴とするＬＡＮ回線継断装置。
【請求項５】
パーソナルコンピュータが、ＬＡＮ回線が接続された状態で稼動している時には、継断スイッチを押すことで当該ＬＡＮ回線を遮断させることを特徴とするＬＡＮ回線継断装置。
【請求項６】
押ボタンスイッチでＬＡＮ回線の継断ができるよう、本体上部にプッシュ型の継断スイッチを設け操作性を向上させることを特徴とするＬＡＮ回線継断装置。
【請求項７】
ＬＡＮ回線上の信号波形を絶縁トランスにより検出し、この信号波形の有無を表示ランプでモニタさせることで、ＬＡＮ回線が動作状態か否かを確認できるよう視認性を向上させることを特徴とするＬＡＮ回線継断装置。
【発明の詳細な説明】
【技術分野】
【０００１】本発明は、パーソナルコンピュータ等に接続されたＬＡＮ回線の接続と遮断に関するものである。
【背景技術】
【０００２】従来、パーソナルコンピュータのＬＡＮ回線の接続や遮断を行う場合には、ＬＡＮ継断器があった。
【先行技術文献】
【特許文献】
【０００３】
【特許文献１】特開平１０−２９０２３１
【特許文献２】特開２００７−２８２１３８
【発明の概要】
【発明が解決しようとする課題】
【０００４】従来の技術には次のような欠点があった。
（イ）手動によるＬＡＮ回線の遮断操作を忘れた場合には、当該パーソナルコンピュータ      に対し第三者によるＬＡＮ回線の不正使用が危惧されていた。
（ロ）ユーザーがパーソナルコンピュータの電源を切断した後であっても、ＬＡＮ回線が      常時接続されている状態の場合には、当該パーソナルコンピュータが第三者により      遠隔操作によって起動されることが危惧されていた。
（ハ）ＬＡＮ回線の継断操作を行う際に、設定状態が速やかに確認できなかった。
（ニ）ＬＡＮ回線の継断操作を行う際、従来は簡単な押ボタンではなかったため（スライ      ドスイッチ等が主であったため）操作性が悪かった。
本発明は、上記課題を解決するためになされたものである。
【課題を解決するための手段】
【０００５】（イ）パーソナルコンピュータの電源を切断した時には、当該パーソナルコンピュータに      備わっているＵＳＢポートの電源が切断された時点で当該パーソナルコンピュータ      に接続されているＬＡＮ回線を自動的に遮断する。
（ロ）パーソナルコンピュータの電源が切断された時でも、当該ＵＳＢポートに電源が供      給されている仕様の場合には、当該ＬＡＮ回線の信号波形の監視を行い、この波形      が停止した時点で当該ＬＡＮ回線を自動的に遮断する。
（ハ）パーソナルコンピュータが起動された時には、当該パーソナルコンピュータに接続      されているＬＡＮ回線が遮断された状態を継続する。
（ニ）パーソナルコンピュータの電源が投入された後に、継断スイッチを押すことで当該      パーソナルコンピュータのＬＡＮ回線の遮断状態を接続状態にさせる。
（ホ）パーソナルコンピュータが、ＬＡＮ回線が接続された状態で稼動している時には、      継断スイッチを押すことで当該ＬＡＮ回線を遮断させる。
（ヘ）押ボタンスイッチでＬＡＮ回線の継断ができるよう、本体上部にプッシュ型の継断      スイッチを設け操作性を向上させる。
（ト）ＬＡＮ回線上の信号波形を絶縁トランスにより検出し、この信号波形の有無を表示      ランプでモニタさせることで、ＬＡＮ回線が動作状態か否かを確認できるよう視認      性を向上させる。
【発明の効果】
【０００６】（イ）パーソナルコンピュータの電源を切断した時点で、外部からＬＡＮ回線を経由した      当該パーソナルコンピュータへのアクセスができなくなる。これにより第三者によ      るＬＡＮ回線を経由した不正アクセスを防止できる。
（ロ）一方、パーソナルコンピュータの電源が切断された場合であっても、当該ＵＳＢポ      ートに電源が供給されている仕様の場合にも、当該ＬＡＮ回線の信号波形の監視を      行い、この信号波形が停止した時点で当該ＬＡＮ回線を自動的に遮断し、第三者に      よるＬＡＮ回線を経由した不正アクセスを防止できる。
（ハ）パーソナルコンピュータの電源を切断した後であれば、仮に当該パーソナルコンピ      ュータにウイルスソフト等の不正ソフトが組み込まれ、その不正ソフトが更に当該      パーソナルコンピュータを起動することがあったとしても、当該ＬＡＮ信号が遮断      された状態を保っているため、当該不正ソフトが当該ＬＡＮ信号を介して外部と通      信することを阻止できる。
（ニ）当該ＬＡＮ回線の信号波形の有無や動作状態が表示ランプで表示されているので、      ＬＡＮ回線の継断状態が目視確認できる。
（ホ）本体上部のプッシュ型の継断スイッチにより、ＬＡＮ回線の継断の操作性が向上す      る。
【図面の簡単な説明】
【０００７】
【図１】本発明品の一実施例を示す説明図である。
【図２】本発明品の概略機能構成の説明図である。
【図３】本発明品の正面外観斜視図である。
【図４】本発明品の背面外観斜視図である。
【発明を実施するための形態】
【０００８】以下、本発明品の実施の形態について、添付図面を参照して説明する。
【実施例】
【０００９】図１は、本発明品の一実施例を示す説明図である。本実施例では、ＬＡＮ回線継断装置１とＨＵＢ２０とパーソナルコンピュータ（ＰＣ）３０とを、ＬＡＮケーブル４０とＬＡＮケーブル４１とＬＡＮケーブル４２とＵＳＢケーブル５０とを用いて、互いに接続し構成している。【００１０】図１のＬＡＮケーブル４２は、外部からのＬＡＮ回線である。この信号はＬＡＮケーブル４２を通り、ＨＵＢ２０を経由してＬＡＮケーブル４１を通り、続いてＬＡＮ回線継断装置１を経由してＬＡＮケーブル４０を通りパーソナルコンピュータ（ＰＣ）３０に接続される。【００１１】また、図１で示すＨＵＢ２０とパーソナルコンピュータ（ＰＣ）３０の電源は、通常商用電源から供給されるが、ＬＡＮ回線継断装置１の電源は、パーソナルコンピュータ（ＰＣ）３０に備わっているＵＳＢポートからＵＳＢケーブル５０を経由して供給される。【００１２】図１のＨＵＢ２０は、通常では常時通電稼動状態と考えられるが、一方、パーソナルコンピュータ（ＰＣ）３０の電源は、通常ユーザーの都合により投入や切断される。【００１３】図１で、パーソナルコンピュータ（ＰＣ）３０の電源を投入した直後には、ＬＡＮ回線継断装置１は、図２のＬＡＮ信号ＯＮ／ＯＦＦスイッチ１２０を切断した状態を保ち、当該パーソナルコンピュータへのＬＡＮ回線を遮断し続ける。【００１４】次に、ユーザーが外部からのＬＡＮ回線を当該パーソナルコンピュータへ接続する場合には、図３の継断スイッチ２を押すことで行う。また当該切替スイッチ２を、再度押すとＬＡＮ信号は再び遮断される。【００１５】図１で、パーソナルコンピュータ（ＰＣ）３０が当該ＬＡＮ回線と接続されている状態で、当該パーソナルコンピュータの電源を切断した場合には、ＵＳＢケーブル５０から供給されている電源が切断されるので、その時点でＬＡＮ回線継断装置１は、図２のＬＡＮ信号ＯＮ／ＯＦＦスイッチ１２０を切断し、当該パーソナルコンピュータへのＬＡＮ回線を遮断し続ける。【００１６】一方、図１のパーソナルコンピュータ（ＰＣ）３０の電源が切断された場合でも、当該パーソナルコンピュータのＵＳＢポートに常時電源が出力されている仕様の場合には、図２のＬＡＮ信号検出回路１１０からの出力により、ＬＡＮ回線上の信号波形が停止したことを内部のＣＰＵ１００で検出し、制御部１３０の処理により、ＬＡＮ信号ＯＮ／ＯＦＦスイッチ１２０を切断し、当該パーソナルコンピュータへのＬＡＮ回線を遮断し続ける。
【符号の説明】
【００１７】１・・・ＬＡＮ回線継断装置
２・・・継断スイッチ
３・・・電源ランプ
４・・・接続ランプ
５・・・ＴＸランプ
６・・・ＲＸランプ
２０・・・ＨＵＢ
３０・・・パーソナルコンピュータ（ＰＣ）
４０・・・ＬＡＮケーブル
４１・・・ＬＡＮケーブル
４２・・・ＬＡＮケーブル
５０・・・ＵＳＢケーブル
１００・・・ＣＰＵ
１０１・・・ＬＡＮコネクタ
１０２・・・ＬＡＮコネクタ
１０３・・・ＵＳＢコネクタ
１１０・・・ＬＡＮ信号検出回路
１２０・・・ＬＡＮ信号ＯＮ／ＯＦＦスイッチ
１３０・・・制御部
１５０・・・表示ランプ部
１６０・・・スピーカー
【図１】
2014116916.tif 000003
【図２】
2014116916.tif 000004
【図３】
2014116916.tif 000005
【図４】
2014116916.tif 000006